(57)【要約】【課題】  ヒトの健康維持に著効のある股関節部のある位置等の腰部周りの緊締作用を安定して永く継続でき、且つ柔軟で腰部周りに装着し易くされた簡易な一枚の弾性バンドを得ること。【解決手段】  ヒトの腰部周りを取巻きつつ左右の各端縁部をヒトの下腹部で相互に係止し得るようにされた、長さ方向に弾力を有する広幅弾性バンドにおいて、バンドの幅方向の単位幅当りのバンドの長さ方向の弾力について、該バンドの幅方向の各適宜幅部分ごとに強弱の変化を設けるようにした腰部緊締バンドである。【選択図】  図１
2005218820.tif 000002
【特許請求の範囲】
【請求項１】
ヒトの下方臀部、股関節のある位置の腰部並びに上方腰部背側面を含む腰部周りを取巻きつつ左右の各端縁部を引寄せるように引っ張ることによってそれら各端縁部がヒトの下腹部で相互に係止し得るようにされた、長さ方向に弾力を有する広幅弾性バンドにおいて、バンドの幅方向の単位幅当りのバンドの長さ方向の弾力（以下「単位幅当りのバンド長さ方向弾力」という。）について、該バンドの幅方向の各適宜幅部分ごとに強弱の変化を設けるようにしたことを特徴とする腰部緊締バンド
【請求項２】
該バンドのバンド生地の織成製作に使用すべき経糸たる弾性糸の、バンド生地の幅方向の配列密度をバンド生地の幅方向の各適宜幅部分ごとに変化させることを介して、単位幅当りのバンド長さ方向弾力について、該バンドの幅方向の各適宜幅部分ごとに強弱の変化を設けるようにした請求項１記載の腰部緊締バンド
【請求項３】
該バンドのバンド生地の織成製作に使用すべき経糸たる弾性糸として、バンド生地の幅方向の各適宜幅部分ごとに弾力の相互に異なった種類のものをそれぞれ使用することを介して、単位幅当りのバンド長さ方向弾力について、該バンドの幅方向の各適宜幅部分ごとに強弱の変化を設けるようにした請求項１記載の腰部緊締バンド
【請求項４】
該バンドの長さ方向略中央部分をヒトの下方臀部を含む腰部背面形状に類似する皿状の彎曲面に形成した請求項１、請求項２、又は請求項３記載の腰部緊締バンド
【発明の詳細な説明】
【技術分野】
【０００１】  本発明は、ヒトの股関節部をはじめ腰部の関節組織を矯正して姿勢を正し、腰痛、神経痛その他の種々の身体的障害を取除いてヒトの健康回復、保持に著効を奏する腰部緊締バンドに係る。
【背景技術】
【０００２】  ヒトの股関節部組織の歪を正してヒトの基本姿勢を正常化させると共に骨盤、腰椎、脊椎などの全身的組織の構造、機能も改善して健康の回復、保持に顕著な効果を発揮することが少なくない、ヒトの股関節部のある位置の腰周りを緊締するゴムチューブなどの弾性バンドの存在はよく知られているが、その股関節部のある位置の腰周りは下方臀部の、ヒトの身体の動きに応じて周長の変化し易い部分になっているので、その腰周りにバンドを強く巻付けても腰を曲げたり伸ばしたりする度にそのバンドが上下方向へズレたり、移動し、所定の位置に安定して保持することがむずかしく、ために折角の健康保持、回復に良いそのバンドもそれ単独では実際には永く安定して使用し難いという欠点があった。【０００３】  そこで発明者は先に股関節部のある位置の腰周りを弾性バンドで安定して緊締できるようにするべく、下半身用下着に弾性バンドを一体化したものを種々開発してきたが（例えば、特許文献１及び特許文献２参照。）、その場合はその下半身用下着を着用しなければそのバンドを使用することができないという不便さがあった。【０００４】  そこでまた、発明者は下半身用下着と合体させなくてもパンツとかズボンなどの衣類の上からでも、その弾性バンドを、ヒトの股関節部のある位置の腰周りを安定的に緊締できるようにするための、左右両端縁部で相互に一体化させた上下２本の弾性バンドからなるバンドを開発してヒトの股関節部のある位置の腰周りを簡便かつ安定的に緊締できるようにし、世間からも多大の評価を得ている（例えば、特許文献３参照。）。【０００５】
【特許文献１】  実開昭６１−２６５１０号公報（全文明細書）
【特許文献２】  実公昭６３−１４８３２号公報
【特許文献３】  実用新案登録第２５２６２５０号公報
【発明の開示】
【発明が解決しょうとする課題】
【０００６】  然しながらそのような下半身用下着に合体させたものとか上下２本のバンドからなるものにおいても、弾性バンド自体が糸ゴム等の弾性糸を芯糸としつつその芯糸の上に被覆用の糸を螺旋状に蜜に巻付けた比較的断面径の大きくなった被覆弾性糸を経糸として使用して織成されたようなものが多いことも関係して、製作された弾性バンドはどうしても嵩高で剛直性のあるものとなり、ヒトの腰周りに装着したときにガサガサ、ゴツゴツした感じのものとなってどうしても肌身近くに付ける衣類としては柔軟さに欠け、肌身になじみ難いものとなりがちとなる。
【０００７】  そこでそのようなゴツゴツ、ガサガサして肌身近くに装着する衣類としての柔軟性に欠けたものとなりがちとなる弾性バンドに、その股関節部等の身体組織の矯正、健康保持という機能は何ら失わせることなく、効果的に柔軟性を付与して肌身近くにも装着して使用し易い衣類の一つとすることを本発明の目的とする。
【０００８】  それと共に、一枚の広幅バンドというごく簡易な腰周りの弾性バンドではあっても、ヒトの股関節部のある位置の腰周り等からズレたり移動したりすることの少ない安定して永く所要の腰周りの緊締機能を充分果たすことができるようになる腰部緊締バンドとすることも本発明の他の目的である。
【課題を解決するための手段】
【０００９】  本発明は、ヒトの下方臀部、股関節部のある位置の腰部並びに腰部背側面を含む腰部周りを取巻きつつ左右の各端縁部を引寄せるように引っ張ることによってそれら各端縁部をヒトの下腹部で相互に係止し得るようにされた、長さ方向に弾力を有する広幅弾性バンドにおいて、バンドの幅方向の単位幅当りのバンドの長さ方向の弾力（以下「単位幅当りのバンド長さ方向弾力」という。）について、該バンドの幅方向の各適宜幅部分ごとに強弱の変化を設けるようにした腰部緊締バンドである。
【００１０】  請求項２の発明は、該バンドのバンド生地の織成製作に使用すべき経糸たる弾性糸の、バンド生地の幅方向の配列密度をバンド生地の幅方向の各適宜幅部分ごとに変化させることを介して、単位幅当りのバンド長さ方向弾力について該バンドの幅方向の各適宜幅部分ごとに強弱の変化を設けるようにした腰部緊締バンドである。
【００１１】  請求項３の発明は、該バンドのバンド生地の織成製作に使用すべき経糸たる弾性糸として、同質のものではあっても断面径が相互に異なった糸ゴムなどを弾性芯糸として用いた弾性糸をバンド生地の幅方向の各適宜幅部分ごとに選択使用するとか、或いは同じ断面径ではあっても弾力が相互に異なった品質の糸ゴムなどを弾性芯糸として用いた弾性糸を選択使用しつつ、バンド生地の幅方向の各適宜幅部分ごとに弾力の異なった経糸たる弾性糸をそれぞれ使用することを介して、単位幅当りのバンド長さ方向弾力について、該バンドの幅方向の各適宜幅部分ごとに強弱の変化を設けるようにした腰部緊締バンドである。
【００１２】  請求項４の発明は、該バンドの長さ方向略中央部分をヒトの下方臀部を含む腰部背面形状に類似する皿状の彎曲面に形成した請求項１、請求項２又は請求項３記載の腰部緊締バンドである。
【発明の効果】
【００１３】  このような腰部緊締バンドは、例えば、強力に押圧すべき股関節部のある位置の腰周りといった箇所に当接すべき該バンドの幅方向の適宜幅部分は単位幅当りのバンド長さ方向弾力が最強となるようにし、そして中程度の強さで押圧すべきその直ぐ上方部の腰椎のある位置の腰周り箇所に当接すべき該バンドの幅方向の適宜幅部分はその最強部分に較べると単位幅当りのバンド長さ方向弾力が少し弱い中程度の弾力となるようにし、更に余り強力に押圧する必要のない腰周り部分に当接すべき該バンドの上端縁近傍部及び下端縁近傍部といった幅方向の各残り部分の単位幅当りのバンド長さ方向弾力はその中程度よりも更に弱い弾力となるように構成することによって、該バンドの股関節部などを緊締する所要の機能、効果は従来の腰部緊締バンドと何らの変りもなく充分に発揮出来るようになる一方で、バンドの幅方向の全幅部分のバンドの長さ方向の弾力が一様に最強の弾力だけとなるように構成された従来の腰部緊締バンドに較べると、バント全体のゴワゴワ、ゴツゴツした感じといった剛直さが格段に少なくなって肌身近くの衣類としても身に付け易い柔軟な感じの腰部緊締バンドとなる。
【００１４】  然もこのような腰部緊締バンドの、単位幅当りのバンド長さ方向弾力が中程度に弱であるとかその中程度よりも更に弱い弾力である部分は、一定の外力に対する変形度合が、単位幅当りのバンド長さ方向弾力が最強である部分のそれに較べると、中程度により大きなものになるとかその中程度のより大きなものよりも更により大きなものになるということを意味するのであるから、その腰部緊締バンドを腰周りに緊締状に装着したときには、それら単位幅当りのバンド長さ方向弾力が中程度に弱であるとかその中程度よりも更に弱い部分が腰周りの凹凸面とか彎曲面に対して、或いは身体の動きに応じてのそれらの面の位置、形状が変化したときも、より柔軟に伸縮してそれらの面に合致しつつ密接するようになることから、バンドの上下幅の全幅部分が最大の単位幅当りのバンド長さ方向弾力のものだけからなっている従来の腰部緊締バンドの場合に較べると、バント全体の腰周り面に対する密接度合がより大となって、所要の腰周りに緊締状に装着されたバンドが上下にズレたり移動したりすることが更に少なくなり、そのバンドは安定して永く腰周りを緊締できる、下着等とも合体していない、一枚のバンドだけの簡易な腰部緊締具になる。
【００１５】  請求項４の発明の、該バンドの長さ方向略中央部分がヒトの下方臀部を含む腰部背面形状に類似する皿状の彎曲面に形成された腰部緊締バンドは、該バンドでヒトの下方臀部を含む腰周りを緊締したときに下方臀部の膨らみに該バンド自体の長さ方向略中央部分の形状がうまく適合し、その腰部緊締バンドをヒトの所定の腰周りに緊締状に装着したときには身体を動かしたときなどにもそのバンドの長さ方向中央部分の、下方臀部面を含む腰周り面での上下へのズレとか移動とかが更に生じ難くなって更に安定して所定の位置を緊締できるバンドとなる。なお、このような彎曲面を形成するのは、例えばバンド生地をその長さ方向略中央部分で左右両片に切断してその切断両端縁部を相互に然るべき双曲線様となるように切揃えたうえでそれら切揃えられた両端縁部を突合せ状に縫合、接合することによって、容易に形成出来るものである。
【発明を実施するための最良の形態】
【００１６】  図面に示されるごとく、長さ方向に弾力があり、ヒトの下方臀部、股関節部のある位置の腰部並びに上方腰部背側面を含む腰部周りを緊締状に取巻き得る広幅帯状の弾性バンドにおいて、図１に２点鎖線で区分されるように、上端縁近傍部及び下端縁近傍部のそれぞれ該バンドの全幅の約１／６に当る各幅部分（Ｃ１）（Ｃ２）に係る単位幅当りのバンド長さ方向弾力を、単位幅当りのバンド長さ方向弾力が最強となるべき該バンドの下端縁近傍部の上方に続く該バンドの全幅の約半分の幅部分（Ａ）に係る単位幅当りのバンド長さ方向弾力の約４割減とすると共に、該バンドの上端縁近傍部の該バンドの全幅の約１／６に当たる幅部分（Ｃ１）と該バンドの単位幅当りのバンド長さ方向弾力が最強となる全幅の約半分の幅部分（Ａ）との間の該バンドの全幅の約１／６に当たる幅部分（Ｂ）に係る単位幅当りのバンド長さ方向弾力を、該バンドの全幅の約半分の幅部分（Ａ）の単位幅当りのバンド長さ方向弾力の約２割減とするようにして、該バンドの単位幅当りの長さ方向弾力について該バンドの幅方向の各適宜幅部分ごとに強弱の変化を設けるようにする。【００１７】  そして該バンドの左右各端縁部を図１に１点鎖線で示されるように、それら各端縁部の相互係止操作が容易となるように上下幅が適宜小さくされた略長方形の相互係止片部（３）（４）となるべき部分を含む形状に裁断されたうえで、それら左右各端縁部に近い適宜長さ部分の上下各側縁部がそれぞれ左右各端縁部へ向うにつれて順次該バンドの幅方向中央部へと近付く斜線に沿って外側へ折返されて縫付けられ、図１に実戦で示すごとく左右各端縁部に該略長方形の相互係止片部（３）（４）が設けられると共に、それら相互係止片部の一方の外側及び他方の内側にそれぞれ相互係止用のマジックテープ（登録商標）、フック又はその他の面ファスナー具の雌具（５）及び雄具（６）をそれぞれ設け、それら左右両端縁部を相互に容易に係止できるようにする。なお、図１に該雌具（５）の左右長さが該雄具（６）の左右長さよりも長くなっているのは該バンドの相互係止片部の相互係止位置を、即ち該バンドの緊締具合を、適宜調節できるようにしたものである。【００１８】  そして更に、該バンドの長さ方向の略中央部で左右両片に切断してその切断両端縁部を相互に然るべき双曲線様となるように切揃えたうえでそれら切揃えられた両端縁部を突合せ状に縫合、接合することによって、図２に示すような、該バンドの長さ方向略中央部分がヒトの下方臀部を含む腰部背面形状に類似する皿状の彎曲面（２）に形成された腰部緊締バンド（１）としたものである。【００１９】  このような構成とされた腰部緊締バンド（１）は、それを図３に示すごとく、ヒト（８）の下方臀部、股関節部（７）のある位置の腰部並びに上方腰部背側面部を含む腰部周りを取巻きつつ左右各端縁部の相互係止片部（３）（４）を引寄せるように引っ張りつつその左右各端縁部の相互係止片部の面ファスナー具の雌具（５）と雄具（６）とを係合させてそれら相互係止片部をヒトの下腹部で相互に係止させるときには、図１の（Ａ）で示されるバンドの最強の単位幅当りのバンド長さ方向弾力となる幅部分は、それによって緊締される股関節部（７）及���その近傍部分の腰部組織の矯正、健康保持に顕著な効果を奏すると共に、その最強の単位幅当りのバンド長さ方向弾力となる幅部分の直上部分の、図１に（Ｂ）で示されるバンドの中程度の単位幅当りのバンド長さ方向弾力となる幅部分及び（Ｃ１）（Ｃ２）で示されるバンドの最弱の単位幅当りのバンド長さ方向弾力となる幅部分は、それぞれの幅部分に当接する腰背面部分等の腰周りをそれらそれぞれの単位幅当りのバンド長さ方向弾力で緊締するようになり、それら単位幅当りのバンド長さ方向弾力相応の緊締機能を発揮して腰部組織及び姿勢の正常化、健康保持に有効となる。【００２０】  そして、それらの図１に（Ｂ）で示されるバンドの中程度の単位幅当りのバンド長さ方向弾力となる幅部分及び（Ｃ１）（Ｃ２）で示されるバンドの最弱の単位幅当りのバンド長さ方向弾力となる幅部分は、図１に（Ａ）で示される単位幅当りのバンド長さ方向弾力が最大となる幅部分に較べると剛直さが少なくなって柔軟さが感じられるようになり、バンド全体が従来のゴツゴツした剛直さの感じられるものから、腰周りの衣類としてもさほどに違和感を感じない程度に剛直さの少ないバンドとなり得て、長時間の使用もさほどに苦になることのない腰周りのバンドとなる。【００２１】  更に、単位幅当りのバンド長さ方向弾力が最弱であるとかそれよりも少し強い中程度であるという幅部分は、一定の外力に対しての変形度合が最大であるとかそれよりも少し小さい中程度である、ということを意味するから、その弾力が最弱であるとかそれよりも少し強い中程度であるバンドの幅部分は一定の外力に対する伸縮動作は最大にとかそれよりも少し小さい中程度に容易且つ大であるということであり、腰周りに装着されたそのようなバンドの伸縮動作の容易且つ大である幅部分は、腰周りの凹凸、彎曲部分に容易に対応しつつ、或いは身体の動きに応じてのその凹凸、彎曲部分が変化、移動してもその変化、移動に楽に対応しつつ、伸縮して腰周り面に密接できるようになり、バンド全面と腰周りとの密着度がより大となって、腰周りを緊締するバンドが所定の位置からズレたり、移動したりすることがより少なくなり、一枚のバンドというごく簡易なものでありながら安定して永く所要の腰周り部を緊締できるバンドとなる。【００２２】  そして更に、そのバンドの長さ方向の略中央部分をヒトの下方臀部を含む腰部背面形状に類似する皿状の彎曲面（２）に形成することによって、該バンドでヒトの下方臀部を含む腰周りを緊締したときに下方臀部を含む腰背面部の膨らみに該バンド自体の長さ方向略中央部分の形状がうまく適合し、その腰部緊締バンドをヒトの所定の腰周りに緊締状に装着しつつ身体を動かしたときなどにもそのバンドの所定の腰周り位置からの上下へのズレとか移動とかが更に発生し難くなって更に安定して永く所定の位置を緊締できる簡易なバンドとなる。
【図面の簡単な説明】
【００２３】
【図１】  本発明一例の正面図
【図２】  該一例の図１の拡大左側面図
【図３】  該一例の使用状態説明図
【符号の説明】
【００２４】１  腰部緊締バンド
２  彎曲面
３  相互係止片部
４  相互係止片部
５  面ファスナー具の雌具
６  面ファスナー具の雄具
７  股関節部
８  ヒト
【図１】
2005218820.tif 000003
【図２】
2005218820.tif 000004
【図３】
2005218820.tif 000005